(57)【要約】【課題】店舗等において、手間をかけることなく、かつ、精度良く駐車料金の割引処理ができるようにする。【解決手段】支払い内容を記載するとともに、その支払い内容に相当するコードを書き込んで支払い証紙を発行する支払い証紙発行手段２と、支払い証紙における支払い内容コードを判別して駐車料金の割引データを算出するとともに、その割引データを駐車券に書き込む駐車券処理手段３とを備えてなることを特徴とする駐車料金処理システム。【選択図】  図１
2005310087.tif 000002
【特許請求の範囲】
【請求項１】
支払い内容とその支払い内容に相当する支払い内容コードとを記載して支払い証紙を発行する支払い証紙発行手段と、
前記支払い証紙における前記支払い内容コードを判別して駐車料金の割引データを算出するとともに、その割引データを駐車券に記録する駐車券処理手段と、
を備えてなることを特徴とする駐車料金処理システム。
【発明の詳細な説明】
【技術分野】
【０００１】  この発明は店舗等において用いられる駐車料金処理システムに関する。
【背景技術】
【０００２】  デパート等に買い物に行った際には駐車料金の割引サービスがなされる。最近の無人化された駐車場においては、上記の割引サービスは、例えば、デパートでの購入時に駐車券に店員によって支払い内容に対応する磁気記録が入力され、この入力内容が駐車場出口の自動清算機で読み取られて駐車料金が割り引かれることにより行なわれている。
【発明の開示】
【０００３】  しかしながら、上記方法によっては店員が駐車券に磁気記録入力する手間がかかり、とくに忙しい場合には問題となる。また、入力ミスがある場合には駐車料金の割引が正常に行なわれないこととなる。
【発明が解決しようとする課題】
【０００４】  この発明では、手間をかけることなく、かつ、精度良く駐車料金の割引処理ができるようにすることを目的とする。
【０００５】  この発明では、支払い内容とその支払い内容に相当する支払い内容コードとを記載して支払い証紙を発行する支払い証紙発行手段と、前記支払い証紙における前記支払い内容コードを判別して駐車料金の割引データを算出するとともに、その割引データを駐車券に記録する駐車券処理手段とを備えてなる駐車料金処理システムを提供する。
【０００６】  上記構成によれば、支払い証紙発行手段により、支払い内容に加えその支払い内容に相当する支払い内容コードが記載された支払い証紙が発行され、駐車券処理手段でその支払い証紙の支払い内容コードが判別されることで駐車料金の割引データが算出されてその割引データが駐車券に記録され、この駐車券が駐車場の自動清算機で使用されることで駐車料金の割引サービスが行なわれる。
【０００７】  上記のように、店舗において発行される通常レシートと呼ばれる支払い証紙を利用して駐車料金の割引処理を行なうので、店舗側は人手をかけることなく、かつ、精度の良い駐車料金の割引処理が可能となる。とくに、支払い証紙の支払い内容を文字で判別することなくコードで判別して駐車料金の処理を行なっているので、高価な文字認識装置を必要とせず、また文字改ざん等による不正行為も回避できる。コードはバーコードの他適宜のものを使用することができる。
【発明の効果】
【０００８】  この発明によれば、支払い証紙を利用することで、手間をかけることなく、かつ、精度良く駐車料金の割引処理ができるようになる。とくに、支払い証紙の文字認識によらずコード使って駐車料金の割引処理を行なうので、装置を構造簡単にして安価に製造できるとともに、文字改ざん等による不正行為も回避できる安全性の高い駐車料金処理システムが実現できるようになる。
【発明を実施するための最良の形態】
【０００９】  図１はこの発明の駐車料金処理システム１の構成図で、２は支払い証紙発行手段としてのレジスターであり、３は駐車券処理手段としての駐車券処理機である。レジスター２は店舗それぞれに設置され、駐車券処理機３は、例えば、集合店舗の場合はその出口付近に設置される。【００１０】  上記レジスター２は、マイクロコンピュータよりなる制御部９にキー操作部１０、記憶部１１、印刷部１２等が接続されて構成されている。このような構成により、キー操作部１０の操作入力に基づいて制御部９が支払い金額等を計算するとともに、その計算結果および記憶部１１にあるその他支払いに関するデータとを合わせた支払いデータ（店舗名、支払い期日、支払い金額等）を作製し、その支払いデータを文字とバーコードとの両方で印刷部１２に印刷させて、図２に示すような、文字５とバーコード６とが印刷された支払い証紙としてのレシート７を発行する。【００１１】  上記駐車券処理機３は、マイクロコンピュータよりなる制御部１３に読み取り部１４、磁気記録部１５、印刷部１６、記憶部１７等が接続されて構成されている。このような構成により、レシート７及び駐車券が挿入されると、読み取り部１４がレシート７の支払いデータのバーコード６を読み取り、その内容判断に基づいて制御部１３が駐車料金の割引演算を行なって、磁気記録部１５がその割引データを駐車券に記録するとともに、印刷部１６がレシート７に駐車料金の処理済マークの印刷を行なう。【００１２】  以下、上記駐車料金処理システム１の動作を詳しく説明する。利用者は駐車場の入口で駐車場に入る際に駐車券発券機において駐車券を受け取る。そしてその駐車場と契約関係にある店舗で買い物をすることでレシート７を受け取る。このレシート７は店舗における従業員が上記レジスター２を操作することにより発行される。図３はその際のレジスター２の動作を示すフローチャートである。複数の店舗において買い物をした場合はそれぞれの店舗においてレシート７を受け取る。【００１３】  そして、買い物を終えた利用者は駐車場に向かう前に、駐車券処理機３にレシート７と駐車券とを挿入する。図４は駐車券処理機３の動作を示すフローチャートである。駐車券処理機３は読み取り部１４がレシート７の支払いデータコード６、さらに、後に説明する処理済マークを読み取る（ステップ１）。レシート７に処理済マークの印刷がない場合には、支払いデータにおける店舗名、支払い期日を判定して、それらが条件を満たす場合は支払いデータにおける支払い額を記憶する（ステップ２〜５）。そして、レシート７が１枚のみ挿入された場合は、支払い金額を合計演算してその額（レシートが１枚の場合は１枚のレシートの支払い金額となる）が割引に値する額がどうかを判定し（ステップ６〜８）、値する場合には割引データを作製してその割引デーータを駐車券に磁気記録するとともにレシート７に処理済マークを印刷し、レシート７とともに駐車券を排出する（ステップ９〜１０）。利用者はその駐車券を駐車場の自動清算機に投入することで駐車料金の割引サービスが受けられる。上記処理済マークはレシート７が駐車料金割引処理に再使用されることを防止するために付される。【００１４】  上記動作において、レシート７に処理済マークが付されているもの、支払いデータの店舗名、支払い期日において条件を満たさないと判断された場合は、そのレシート７の支払い額は記憶せずステップ６に至る。【００１５】  また、レシート７が複数枚ある場合にはそれぞれのレシート７において上記ステップ１〜５の動作を繰り返し行ない、その場合はステップ７においてそれぞれのレシート７の支払い金額の合計金額を算出し、その合計金額に対応する割引データを算出する。このようにして、デパートや集合店舗において複数枚のレシートが入手される場合での駐車料金の割引サービスが支障なく行なわれるようになっている。【００１６】  以下、駐車券処理機において処理済マークの印刷を行なわない他の実施形態について説明する。この実施形態においては、レジスター２においてレシート７にそのレシート固有の発行番号データを含むバーコードを印刷しておき、そのデータを駐車券処理機３で判別することでレシート７が未処理かどうかの判別を行なう。図５は駐車券処理機３の動作を示すもので、ステップ２では読み取った発行番号データが既に記憶されている発行番号データと合致しないかどうかを判断し、該当する発行番号データがない場合に未処理と判定する。そして、ステップＳ６においてその発行番号データを記憶し、その発行番号データが以降のレシート７の未処理判定に用いられる。複数台の駐車券処理機３が使用される場合は、それぞれの駐車券処理機３が通信ラインで接続されることで、それぞれの駐車券処理機３に処理済レシートの発行番号データが記憶される。【００１７】  上記のような構成により、一方においては駐車券処理機３を印刷部１６を備えない簡略な構成とでき、他方においては処理済印刷を行なわないことでレシート７をきれいな状態に保つことができて、利用者のレシート７の以降の使用に役立つ。
【図面の簡単な説明】
【図１】  この発明の駐車料金処理システムの実施形態の構成図
【図２】  この発明の駐車料金処理システムにおいて使用するレシートの実施形態の平面図
【図３】  この発明の駐車料金処理システムの実施形態のレジスターの動作を示すフローチャート
【図４】  この発明の駐車料金処理システムの実施形態の駐車券処理機の動作を示すフローチャート
【図５】  この発明の駐車料金処理システムの他の実施形態の駐車券処理機の動作を示すフローチャート
【符号の説明】
１    駐車料金処理システム
２    レジスター（支払い証紙発行手段）
３    駐車券処理機（駐車券処理手段）
７    レシート（支払い証紙）
【図１】
2005310087.tif 000003
【図２】
2005310087.tif 000004
【図３】
2005310087.tif 000005
【図４】
2005310087.tif 000006
【図５】
2005310087.tif 000007